Podtech/llm-jp-corpus-v4-ja_patent huggingface dataset:
【手続補正書】
【提出日】平成19年1月18日(2007.1.18)
【手続補正１】
【補正対象書類名】特許請求の範囲
【補正対象項目名】全文
【補正方法】変更
【補正の内容】
【特許請求の範囲】
【請求項１】
高血圧をインビトロで診断するための、配列番号１または配列番号２で示される核酸配列のフラグメントを含む単離された一本鎖または二本鎖核酸を使用する方法であって、該フラグメントの長さは、少なくとも１０個のヌクレオチド／塩基対であり、該フラグメントは、ｈｓｇｋ１遺伝子のイントロン２における多型（７３２／７３３位でのヌクレオチドＧの挿入を含む、または、含まない）を含むことを特徴とする、上記方法。
【請求項２】
請求項１に記載の単離された一本鎖または二本鎖核酸の少なくとも１つを含む、高血圧を定量的に診断するキット。
【請求項３】
ｈｓｇｋタンパク質の領域に対して向けられた抗体の少なくとも１つを含み、該ｈｓｇｋ１タンパク質の領域の存在は、それをコードするｈｓｇｋ遺伝子のイントロン２における７３２／７３３位でのヌクレオチドＧの挿入の存在に依存することを特徴とする、高血圧を定量的に診断するキット。
【請求項４】
ａ）生体サンプルから、ゲノムＤＮＡ、ｃＤＮＡまたはｍＲＮＡを単離および／または増幅する工程、
ｂ）ｈｓｇｋ１遺伝子のイントロン２の７３２／７３３位でのヌクレオチドＧの挿入がある対立遺伝子を定量する工程、
を含む、インビトロで高血圧を診断するための方法。
【請求項５】
生体サンプルは、血液、唾液、組織、および細胞からなる群より選択されることを特徴とする、請求項４に記載の方法。
【請求項６】
対立遺伝子は、工程ｂ）に従って、生体サンプルから単離されたゲノムＤＮＡまたはｃＤＮＡを直接配列解析することによって定量されることを特徴とする、請求項４または５に記載の方法。
【請求項７】
対立遺伝子は、工程ｂ）に従って、生体サンプルから単離されたゲノムＤＮＡまたはｃＤＮＡと特異的にハイブリダイズさせることによって定量されることを特徴とする、請求
項４〜６のいずれか１項に記載の方法。
【請求項８】
対立遺伝子は、工程ｂ）に従って、ＰＣＲオリゴ伸長分析、または、ライゲーション分析によって定量されることを特徴とする、請求項４〜７のいずれか１項に記載の方法。
【請求項９】
ＱＴ延長症候群をインビトロで診断するための、ｓｇｋファミリーのヒト相同体の過剰発現または機能的な分子改変と、ＱＴ間隔の長さとの直接的な相関性を使用する方法。
【請求項１０】
ＱＴ延長症候群をインビトロで診断するための、少なくとも１０個のヌクレオチド／塩基対の長さを有する、ｓｇｋファミリーのヒト相同体の配列もしくはそのフラグメントの１つを含む一本鎖または二本鎖核酸を使用する方法。
【請求項１１】
ｓｇｋファミリーのヒト相同体は、ｈｓｇｋ１遺伝子であることを特徴とする、請求項９または１０に記載の方法。
【請求項１２】
ｈｓｇｋ１遺伝子またはそのフラグメントの１つの核酸の長さは、少なくとも１０個のヌクレオチド／塩基対であり、該核酸は、ｈｓｇｋ１遺伝子のイントロン２の７３２／７３３位の多型（ヌクレオチドＧの挿入を含む、または、含まない）を含むことを特徴とする、請求項１１に記載の方法。
【請求項１３】
ＱＴ延長症候群を発症させる素因をインビトロで診断するための、Ｎｅｄｄ４−２（受託番号ＢＡＡ２３７１１）に対する抗体を使用する方法であって、該抗体は、リン酸化部位（リン酸化型または非リン酸化型のいずれか）を含むヒト相同体のエピトープに対するものである、上記方法。
【請求項１４】
ｓｇｋタンパク質ファミリーのヒト相同体に対する抗体、または、一本鎖もしくは二本鎖核酸フラグメント（長さが少なくとも１０個のヌクレオチド／塩基対であり、ストリンジェントな条件下でｓｇｋ遺伝子ファミリーのヒト相同体とハイブリダイズできる）を含む、または、これら抗体と核酸とを共に含む、ＱＴ延長症候群を診断するためのキット。
【請求項１５】
ｓｇｋファミリーのヒト相同体は、ｈｓｇｋ１遺伝子であることを特徴とする、請求項１４に記載のキット。
【請求項１６】
特異的なハイブリダイゼーションプローブとして、ｈｓｇｋ１遺伝子における、エキソン８におけるＳＮＰ（Ｃ２６１７Ｔ、Ｄ２４０Ｄ）、イントロン６におけるＳＮＰ（Ｔ２０７１Ｃ）、または、イントロン２の７３２／７３３位におけるＳＮＰ（Ｇ挿入）の少なくとも１つを含む核酸フラグメントを含むことを特徴とする、請求項１５に記載のキット。
【請求項１７】
ＱＴ間隔を短くするために、ｓｇｋファミリーのヒト相同体（特にｈｓｇｋ１）の機能的な活性化因子、または、正の転写調節因子を使用する方法。
【請求項１８】
機能的な活性化因子または正の転写調節因子は、糖質コルチコイド、鉱質コルチコイド、アルドステロン、ゴナドトロピン、およびサイトカイン（特にＴＧＦ−β）からなる群より選択されることを特徴とする、請求項１７に記載の方法。
【請求項１９】
ＱＴ延長症候群の治療および／または予防用医薬を製造するために、糖質コルチコイド、鉱質コルチコイド、アルドステロン、ゴナドトロピン、およびサイトカイン（特にＴＧＦ−β）からなる群より選択される物質を使用する方法。
【請求項２０】
ＱＴ延長症候群の治療および／または予防のための、鉱質コルチコイド、アルドステロン、ゴナドトロピンおよび、サイトカイン（特にＴＧＦ−β）からなる物質群より選択される少なくとも１つの物質を含む医薬。
【手続補正書】
【提出日】平成19年3月12日(2007.3.12)
【手続補正１】
【補正対象書類名】特許請求の範囲
【補正対象項目名】請求項４６
【補正方法】変更
【補正の内容】
【請求項４６】
前記制御の範囲が、前記送信者により規定されることを特徴とする請求項４４又は請求項４５記載の方法。
【手続補正書】
【提出日】平成19年3月14日(2007.3.14)
【手続補正１】
【補正対象書類名】明細書
【補正対象項目名】０２１１
【補正方法】変更
【補正の内容】
【０２１１】
コントローラ１０００とアクセス端末１００２を図１０に示す。データソース１００４によって生成されたユーザデータは、インタフェースユニット、例えば、パケットネットワークインタフェース、ＰＳＴＮ（図示せず）を介してコントローラ１０００に提供される。既述したように、コントローラ１０００は複数のアクセス端末をインタフェースしていて、アクセスネットワークを形成している（簡潔さのため、たった１つのアクセス端末１００２しか図１０では示していない）。このユーザデータは、複数のセレクタエレメントに提供される（簡潔さのため、図１０ではたった１つのセレクタエレメント１００８しか示していない）。これらのセレクタエレメントの内の１つは、データソース１００４及びデータシンク１００６と１つ以上の基地局との間でのユーザデータの交換をコール制御プロセッサ１０１０の制御下で制御するために割り当てられる。このコール制御プロセッサ１０１０は、例えば、プロセッサと、このプロセッサとカップリングされ、このプロセッサで実行可能な命令の集合を含んでいる記憶媒体とを備えることが可能である。図１０に示すように、セレクタエレメント１００８はユーザデータをデータ待ち行列１０１４に提供するが、この待ち行列は、アクセス端末１００２からサービスを受けるアクセス端末（図示せず）に送信される予定のユーザデータを含むものである。スケジューラ１０１６の制御にしたがって、このデータデータはデータ待ち行列１０１４からチャネルエレメント１０１２に提供される。チャネルエレメント１０１２は、ユーザデータをＩＳ−８５６規格に従って処理して、処理されたデータを送信機１０１８に提供する。このデータはアンテナ１０２２から順方向リンク上で送信される。
【手続補正書】
【提出日】平成19年2月1日(2007.2.1)
【手続補正１】
【補正対象書類名】特許請求の範囲
【補正対象項目名】請求項４
【補正方法】変更
【補正の内容】
【請求項４】
前記相互接続フレームは複数の差込構造体を含み、
前記複数の第一のパッドの各々は前記複数の差し込み構造体のうちの一つの差込構造体の一部であり、前記各差込構造体は前記底部電気コンタクトレベルに配置される底部を含む請求項３に記載の半導体パッケージ。
【手続補正書】
【提出日】平成18年12月6日(2006.12.6)
【手続補正１】
【補正対象書類名】特許請求の範囲
【補正対象項目名】全文
【補正方法】変更
【補正の内容】
【特許請求の範囲】
【請求項１】
ラミナを機械加工する方法において、
ラミナを用意することと、
前記ラミナの縁部が露出されるように、該ラミナを固定具に運動学的に位置決めすることと、
前記ラミナの前記縁部に複数の溝を形成することと、
を含む方法。
【請求項２】
前記溝の少なくとも一部分がサイド溝であり、該サイド溝が、スキュー、インクリネーションまたはそれらの組合せを含む、請求項１に記載の方法。
【請求項３】
ラミナを集成する方法において、
請求項１に記載の方法に従って形成した複数の溝を有するマイクロ構造化した縁を含むラミナを用意することと、
固定具に個々の前記ラミナを運動学的に位置決めして、複数の前記ラミナのスタックを形成することと、
前記スタックにおける前記複数のラミナの位置を保持することと、
を含む方法。
【請求項４】
前記ラミナが±０．００５０８ｍｍの厚さ許容差を有する、請求項１〜３のいずれか１項に記載の方法。
【請求項５】
マスター型を複製する方法において、
請求項３に記載の方法に従って形成した複数のラミナのスタックであって、露出したマイクロ構造化表面を有するスタックを、固定具に設置することと、
前記マイクロ構造化表面が露出される状態で、前記スタックに導電性カバーシートを装着することと、
電気メッキ溶液を用いて、前記露出したマイクロ構造化表面に電鋳処理を施して、レプリカを形成することと、
を含む方法。
【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
主溝チャネル、構造化チャネル、キューブ空隙チャネルおよびそれらの組み合わせから選択されるチャネルを有するキューブコーナー微細構造化面を含む工具を用意するステップと、
成形可能な樹脂を工具表面上に注型し、樹脂の進行する方向が前記チャネルと実質的に平行となるようにするステップと、
前記樹脂を固化させて、キューブコーナー要素を含む表面を有する再帰反射性シートを形成するステップと、
前記シートを前記工具から取り外すステップと、
を含む再帰反射性シーティングの製造方法。
【請求項２】
前記キューブコーナー微細構造が空隙である、請求項１に記載の方法。
【請求項３】
前記キューブコーナー微細構造がキューブコーナー要素である、請求項１に記載の方法。
【請求項４】
前記樹脂が溶融熱可塑性樹脂である、請求項１に記載の方法。
【請求項５】
少なくとも１つの長手方向周辺端部と、少なくとも１列のＰＧキューブコーナー微細構造と、前記ＰＧキューブコーナー微細構造の列に対して実質的に平行に延在する少なくとも１つのチャネルとを含み、前記チャネルが前記長手方向周辺端部に対して実質的に平行である、再帰反射性シーティング。
【請求項６】
一対の長手方向周辺端部と、キューブコーナー微細構造の列と、前記列と実質的に平行に延在するチャネルとを含み、前記チャネルの主要部分が前記長手方向周辺端部と実質的に平行であり、前記チャネルが主溝チャネル、構造化チャネル、キューブ空隙チャネルおよびそれらの組み合わせから選択される、再帰反射性シーティング。
【手続補正２】
【補正対象書類名】明細書
【補正対象項目名】００５３
【補正方法】変更
【補正の内容】
【００５３】
図６を参照すると、代表的なダイは、２つの表面部分を有する全長約２５．４ｍｍ（１．０インチ）（たとえば２２．３５ｍｍ（０．８８インチ））の下流リップを含む。第１の表面部分は、前縁１３０から第１の表面部分の後縁１２５（すなわち、２つの表面部分の場合の第２の表面部分の前縁および近接線）まで延在し、長さ１２１ａが１０．４１ｍｍ（０．４１インチ）であり、図６に示されるようにリップ表面からダイ分割線１８０の外挿まで反時計回りに測定した角度１２８が８９．２°から垂直である。第２の表面部分は、第１の表面部分の後縁１２５から延在し、長さ１２６ａが１１．９４ｍｍ（０．４７インチ）であり、図６に示されるようにリップ表面からダイ分割線１８０の外挿まで反時計回りに測定した角度１２２が８６．８°から垂直である。さらに、下流リップは、リップ表面部分と進行する工具との間に生じる高圧による曲げまたは偏差に耐えるのに十分な構造強度を有する。
【手続補正３】
【補正対象書類名】明細書
【補正対象項目名】００６６
【補正方法】変更
【補正の内容】
【００６６】
実施例１〜４
以下の具体的な特徴を組み込むために下流ダイリップを変化させたことを除けばウィスコンシン州チペワフォールズのエクストルージョン・ダイス・インコーポレイテッド（Ｅｘｔｒｕｓｉｏｎ  Ｄｉｅｓ，Ｉｎｃ．，Ｃｈｉｐｐｅｗａ  Ｆａｌｌｓ，ＷＩ）より商品名「ウルトラコート」（Ｕｌｔｒａｃｏａｔ）で市販されるスロットダイ装置と実質的に同じであるスロットダイ装置を使用して、再帰反射性シーティングを作製した。（１）リップの水平長さを１２．１４ｍｍから２２．４５ｍｍ（０．４７８インチから０．８８４インチ）に変化させた。（２）ポリカーボネート出口スロット付近のリップ断面を薄くすることで、リップ水平断面中にヒンジを形成し、それによってリップの下流部分を垂直面において調節できるようにした。（３）このリップのポリカーボネート接触面は、２つの平面が得られるように機械加工しており、その第１の面は、工具表面からダイの分割線の外挿まで反時計回りに測定して垂直に対し８９．２°の角度であり、第２の面は、工具表面からダイの分割線の外挿まで反時計回りに測定して反時計回りに垂直に対し８７．６°であった。（４）ダイボルトは、ダイリップの外側または後部を押し込むように構成されており、このため、ボルトの調整によって後部リップを垂直に移動させることができたが、前部および後部ダイリップの間のポリカーボネートスロットは実質的に変化しなかった。（５）図６を参照して、寸法１５０が８．３８ｍｍ（０．３３インチ）の厚さを有し、寸法１５１が６．６０ｍｍ（０．２６インチ）の厚さを有し、寸法１５２が４．８３ｍｍ（０．１９インチ）の厚さを有し、および角度１５３が基準面２０００に対して１０５°となるように、リップをＰ−２０工具鋼から作製した。
【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
カルボニル部分を有する、少なくとも約８０部の少なくとも１つの複素環式溶媒、約０．１部〜約２．５部のビタミンＥ、および約１部〜約１０部の、少なくとも１つの油状溶媒を含むネイルポリッシュリムーバー。
【請求項２】
前記複素環式溶媒が、プロピレンカーボネートである、請求項１に記載のネイルポリッシュリムーバー。
【請求項３】
前記複素環式溶媒が、エチレンカーボネートである、請求項１に記載のネイルポリッシュリムーバー。
【請求項４】
前記油状溶媒が、大豆メチルである、請求項１〜３のいずれか１項に記載のネイルポリッシュリムーバー。
【請求項５】
前記油状溶媒が、キャノーラ油である、請求項１〜３のいずれか１項に記載のネイルポリッシュリムーバー。
【請求項６】
約０．５部のビタミンＥを含む、請求項１〜５のいずれか１項に記載のネイルポリッシュリムーバー。
【請求項７】
約９７．５部のプロピレンカーボネート、約０．５部のビタミンＥおよび約２部の大豆メチルを含む、請求項１、２、４または６のいずれか１項に記載のネイルポリッシュリムーバー。
【請求項８】
表面からネイルポリッシュを除去するための方法であって、以下：
（ａ）該表面にネイルポリッシュリムーバーを塗布する工程であって、該ネイルポリッシュリムーバーが、カルボニル部分を有する、少なくとも約８０部の少なくとも１つの複素環式溶媒、約０．１部〜約２．５部のビタミンＥ、および約１部〜約１０部の少なくとも１つの油状溶媒を含む、工程；
（ｂ）該ネイルポリッシュリムーバーにより該ネイルポリッシュを可溶化させる工程；および
（ｃ）該表面から可溶化したネイルポリッシュを除去する工程、
を包含する、方法。
【請求項９】
前記複素環式溶媒が、プロピレンカーボネートである、請求項８に記載の方法。
【請求項１０】
前記複素環式溶媒が、エチレンカーボネートである、請求項８に記載の方法。
【請求項１１】
前記油状溶媒が、大豆メチルである、請求項８〜１０のいずれか１項に記載の方法。
【請求項１２】
前記油状溶媒が、キャノーラ油である、請求項８〜１０のいずれか１項に記載の方法。
【請求項１３】
約０．５部のビタミンＥを含む、請求項８〜１２のいずれか１項に記載の方法。
【請求項１４】
前記ネイルポリッシュリムーバーが、約９７．５部のプロピレンカーボネート、約０．５部のビタミンＥおよび約２部の大豆メチルを含む、請求項８、９、１１または１３のいずれか１項に記載の方法。
【請求項１５】
前記表面が、手指の爪または足指の爪である、請求項８〜１４のいずれか１項に記載の方法。
【手続補正書】
【提出日】平成19年3月19日(2007.3.19)
【手続補正１】
【補正対象書類名】特許請求の範囲
【補正対象項目名】全文
【補正方法】変更
【補正の内容】
【特許請求の範囲】
【請求項１】
以下を含む、調合物。
・当該調合物の0.13〜0.18%(質量/質量)の量の水、
・推進剤として少なくとも1種のHFA、
・1種以上の賦形剤、及び
・懸濁されている活性成分アルブテロールスルファート及び/又はイプラトロピウムブロミド。
【請求項２】
前記水の量が、生成調合物の0.13〜0.16%（質量/質量）である、請求項１記載の調合物。
【請求項３】
前記HFA推進剤が、HFA134aである、請求項１記載の調合物。
【請求項４】
前記賦形剤が、エタノール、クエン酸、及びポリビニルピロリドンである、請求項３記載の調合物。
【請求項５】
投与又は投薬される調合物が、作動又は投与の間に存するための領域である計量チャンバーを有するバルブを含む計量式吸入器中にある、請求項４記載の調合物。
【請求項６】
以下を含む、計量式吸入器。
・請求項１〜５のいずれか１項に記載の調合物、及び
・投与又は投薬される調合物が、作動又は投与の間に存するための領域である計量チャンバーを含む、バルブ。
【請求項７】
以下を含む、請求項５記載の調合物の製造方法。
・エタノール、クエン酸、イプラトロピウムブロミドモノハイドレイト、ポリビニルピロリドン、及び/又はアルブテロールスルファートを加えることによる、濃縮物の調製、
・推進剤、エタノール、及び水の混合物の調製、前記混合物は、推進剤HFA134a、エタノール及び水の混合物を含む、及び
・前記濃縮物を、推進剤−エタノール−水の混合物に加えて、調合物を与える。
【手続補正書】
【提出日】平成19年3月15日(2007.3.15)
【手続補正１】
【補正対象書類名】特許請求の範囲
【補正対象項目名】請求項８
【補正方法】変更
【補正の内容】
【請求項８】
GSK3βの異常活性に起因する疾患の予防および／または治療のための、請求項1〜4のいずれか1つに記載の化合物を含む医薬組成物。
【手続補正２】
【補正対象書類名】特許請求の範囲
【補正対象項目名】請求項９
【補正方法】変更
【補正の内容】
【請求項９】
神経変性疾患の予防および／または治療のための、請求項1〜4のいずれか1つに記載の化合物を含む医薬組成物。
【手続補正３】
【補正対象書類名】特許請求の範囲
【補正対象項目名】請求項１０
【補正方法】変更
【補正の内容】
【請求項１０】
神経変性疾患がアルツハイマー病、パーキンソン病、タウ病、血管性痴呆、急性脳卒中、外傷性の障害、脳血管障害、脳損傷、脊髄損傷、末梢神経障害、網膜症または緑内障からなる群から選択される、請求項9に記載の医薬組成物。
【手続補正４】
【補正対象書類名】特許請求の範囲
【補正対象項目名】請求項１１
【補正方法】変更
【補正の内容】
【請求項１１】
非インスリン依存性糖尿病、肥満症、躁うつ病、統合失調症、脱毛症または癌の予防および／または治療のための、請求項1〜4のいずれか1つに記載の化合物を含む医薬組成物。
【手続補正５】
【補正対象書類名】特許請求の範囲
【補正対象項目名】請求項１２
【補正方法】変更
【補正の内容】
【請求項１２】
癌が乳癌、非小細胞肺癌、甲状腺癌、TもしくはB-細胞白血病またはウイルス誘発性腫瘍である、請求項11に記載の医薬組成物。
【手続補正６】
【補正対象書類名】明細書
【補正対象項目名】００７４
【補正方法】変更
【補正の内容】
【００７４】
実施例15（表1の化合物番号15）
9-[2-(3-ブロモ-フェニル)-2-オキソ-エチル]-2,8-ジピリジン-4-イル-6,7,8,9-テトラヒドロ-ピリミド[1,2-a]ピリミジン-4-オン塩酸塩(1:2)
2-ブロモアセトフェノンを3-ブロモ-(2-ブロモアセトフェノン)に置き換えて、実施例14.3に記載された方法と同様にして、この物質を得た。
Mp : 215-217℃
NMR 1H (200 MHz ; DMSO-d6) : δ(ppm) 8.9 (d, 2H) ; 8.7 (d, 2H); 8.3-7.8 (m, 7H); 7.5 (t, 1H) ; 6.7 (s, 1H) ; 5.75 (d, 1H) ; 5.3 (br s, 1H); 4.7 (d, 1H); 4.5(m,1H) ; 3.1(ddd,1H) ; 2.5(m,2H) .
【手続補正７】
【補正対象書類名】明細書
【補正対象項目名】００７５
【補正方法】変更
【補正の内容】
【００７５】
実施例16（表1の化合物番号16）
9-(2-ヒドロキシ-2-フェニル-エチル)-2,8-ジピリジン-4-イル-6,7,8,9-テトラヒドロ-ピリミド[1,2-a]ピリミジン-4-オン塩酸塩(1:2)
2-ブロモアセトフェノンを(1-S)-2-クロロ-1-フェニルエタノールに置き換えて、実施例14.3に記載された方法と同様にして、この物質を得た。
Mp : 204-206℃
NMR 1H (200 MHz ; DMSO-d6) : δ(ppm) 9.0 (m, 2H) ; 8.8 (m, 2H); 8.45 (m, 2H); 7.9 (d, 1H) ; 7.8-7.6(m,1H) ; 7.5-7.2(m,5H) ; 6.8 (s, 1H) ; 6.2-5.7 (br d , 1H) ; 5.3- 5.1(m,1H) ; 4.6-4.1(m,2H) ; 3.3(m,2H) ; 2.9(m,1H) ; 2.5-2.2(m,2H) .
【手続補正８】
【補正対象書類名】明細書
【補正対象項目名】００７６
【補正方法】変更
【補正の内容】
【００７６】
実施例17（表1の化合物番号17）
9-[2-(3-ブロモ-フェニル)-2-ヒドロキシ-エチル]-2,8-ジピリジン-4-イル-6,7,8,9-テトラヒドロ-ピリミド[1,2-a]ピリミジン-4-オン
2-ブロモアセトフェノンを2-クロロ-1-(3-ブロモ-フェニル)-エタノールに置き換えて、実施例14.3に記載された方法と同様にして、この物質を得た。
Mp : 190-192℃
NMR 1H (200 MHz ; CDCl3) : δ(ppm) 8.8 (d, 2H) ; 8.7 (d, 2H); 7.8 (m, 2H); 7.7-7.4 (m, 2H) ; 7.3(m,2H) ; 7.1(d,2H) ; 6.5 (s, 1H) ; 5.2 (m , 2H) ; 4.8-4.4 (m,3H) ; 3.2 (m,2H) ; 2.3(m,2H) .
【手続補正９】
【補正対象書類名】明細書
【補正対象項目名】００７７
【補正方法】変更
【補正の内容】
【００７７】
実施例18（表1の化合物番号18）
9-[2-(3-フルオロ-フェニル)-2-オキソ-エチル]-2,8-ジピリジン-4-イル-6,7,8,9-テトラヒドロ-ピリミド[1,2-a]ピリミジン-4-オン塩酸塩(1:2)
2-ブロモアセトフェノンを3-フルオロ-(2-ブロモアセトフェノン)に置き換えて、実施例14.3に記載された方法と同様にして、この物質を得た。
Mp : 132-134℃
NMR 1H (200 MHz ; DMSO-d6) : δ(ppm) 8.9 (d, 2H) ; 8.7 (d, 2H); 8.1 (d, 2H); 8.0 (d, 2H) ; 7.9-7.7(m,2H) ; 7.7-7.5(m,2H) ; 6.8 (s, 1H) ; 5.7 (d , 2H) ; 5.3 (br s,1H) ; 4.7(d,1H) ; 4.4(m,1H) ; 3.1(ddd,1H) ; 2.4(m,1H) .
【手続補正書】
【提出日】平成19年3月2日(2007.3.2)
【手続補正１】
【補正対象書類名】特許請求の範囲
【補正対象項目名】全文
【補正方法】変更
【補正の内容】
【特許請求の範囲】
【請求項１】
1,1,1-トリフルオロエタン（HFC-143a）を製造する方法であって、フッ化水素化触媒の存在下で1,1-ジフルオロ-1-クロロエタン（HCFC-142b）をフッ化水素（HF）と気相反応させ、前記気相反応に導入されるHFに対する導入されるHCFC-142bのモル比が１以上１．３未満であることを特徴とする方法。
【請求項２】
前記モル比が１．０２以上である請求項１記載の方法。
【請求項３】
前記モル比が１．０５以上である請求項２記載の方法。
【請求項４】
前記モル比が１．２５以上である請求項１乃至３のいずれか１項に記載の方法。
【請求項５】
前記モル比が１．２０以上である請求項４記載の方法。
【請求項６】
前記反応の温度が１００乃至４００℃である請求項１乃至５のいずれか１項に記載の方法。
【請求項７】
前記反応の圧力が０．００１乃至０．０３ＭＰａ（１乃至３０バール）である請求項１乃至６のいずれかに１項に記載の方法。
【請求項８】
接触時間が１乃至２００秒である請求項１乃至７のいずれかに記載の方法。
【請求項９】
前記フッ化水素化触媒が酸化クロムを含む請求項１乃至８のいずれかに記載の方法。
【請求項１０】
前記触媒がクロム及びマグネシウムを含み、前記触媒が、以下の工程、
(a)水溶性クロム(III)塩を水の存在下で水酸化マグネシウムまたは酸化マグネシウムと反応させる工程、
(b)得られた反応混合物をペーストに加工する工程、
(c)ペーストを乾燥させる工程、
(d)乾燥させたペーストを２０乃至５００℃の温度においてフッ化水素で処理し、
かつ水溶性クロム(III)塩及び水酸化マグネシウムまたは酸化マグネシウムの量がそれぞれ、工程(c)で得られる乾燥させたペーストが、３．５乃至２６質量％の、Cr2O3の形態で表されるクロム、及び２５質量％以上の、MgOの形態で表されるマグネシウムを含むように選択される工程、
に従う方法により得られる請求項９記載の方法。
【手続補正書】
【提出日】平成19年2月28日(2007.2.28)
【手続補正１】
【補正対象書類名】特許請求の範囲
【補正対象項目名】全文
【補正方法】変更
【補正の内容】
【特許請求の範囲】
【請求項１】
誘発された細胞毒性の予防および／または処置のための医薬の製造のための、一般式（ＶＩ）：
【化１】
2006520761.tif 000001
［式中、
各Ｒ1および各Ｒ2は独立にＣ、Ｓ、Ｎ、Ｏから選択され、Ｃ、Ｓ、Ｎ、Ｏ、ＯＨ、水素、アルキル、アルケニル、アルキニル、フェニル、ベンジル、アミン（ＮＨ）、ハロゲン、置換された低級アルキル、アリール、ヘテロシクロアルキル、ヘテロアリール、アリール−（Ｃ1-4）−アルキル、ヘテロアリール−（Ｃ1-4）−アルキル、ヘテロシクリル−（Ｃ1-4）−アルキル、シクロアルキルアルキル、シクロアルキルで置換されていてもよく、これら置換基は、さらに１以上のＣ、Ｓ、Ｎ、Ｏ、ＯＨ、フェニル、アミン（ＮＨ）、ハロゲン、置換された低級アルキル、アリール、ヘテロシクリル、ヘテロアリール、アリール−（Ｃ1-4）−アルキル、ヘテロアリール−（Ｃ1-4）−アルキル、ヘテロシクリル−（Ｃ1-4）−アルキル、シクロアルキルアルキル、シクロアルキル、アルコキシ、カルボキシ、ハロゲン、トリフルオロメチル、シアノ、アミノ、またはニトロで置換されていてもよく、
ｍは１〜８の整数であり、
ｎは１〜８の整数であり、
Ｎ’およびＮ”は窒素であり、
Ｒ3、Ｒ4、Ｒ5およびＲ6は、Ｃ、Ｓ、Ｎ、Ｏ、ＯＨ、水素、アルキル、アルケニル、アルキニル、フェニル、ベンジル、アミン（ＮＨ）、ハロゲン、置換された低級アルキル、アリール、ヘテロシクロアルキル、ヘテロアリール、アリール−（Ｃ1-4）−アルキル、ヘテロアリール−（Ｃ1-4）−アルキル、ヘテロシクリル−（Ｃ1-4）−アルキル、シクロアルキルアルキル、シクロアルキルから独立に選択され、さらに１以上のＣ、Ｓ、Ｎ、Ｏ、ＯＨ、フェニル、アミン（ＮＨ）、ハロゲン、置換された低級アルキル、アリール、ヘテロシクリル、ヘテロアリール、アリール−（Ｃ1-4）−アルキル、ヘテロアリール−（Ｃ1-4）−アルキル、ヘテロシクリル−（Ｃ1-4）−アルキル、シクロアルキルアルキル、シクロアルキル、アルコキシ、カルボキシ、ハロゲン、トリフルオロメチル、シアノ、アミノ、またはニトロで置換されていてもよいか、または
Ｒ3、Ｒ4、Ｒ5およびＲ6の１つ以上は化学結合である］
で示される構造を含んでなる化合物またはその製薬的に許容し得る付加塩もしくは水和物、あるいはジアミノメタン、１,２−ジアミノエタン、１,３−ジアミノプロパン、１,４−ジアミノブタン、１,５−ジアミノペンタン、１,６−ジアミノヘキサン、１,７−ジアミノヘプタン、１,８−ジアミノオクタンである化合物またはその製薬的に許容し得る付加塩もしくは水和物の使用。
【請求項２】
細胞がレセプター・メガリンおよび／またはレセプター・キュビリンを提示している、請求項１記載の使用。
【請求項３】
Ｒ1またはＲ2の少なくとも１つがＣである、請求項１または２に記載の使用。
【請求項４】
Ｒ1およびＲ2がＣである、請求項１または２に記載の使用。
【請求項５】
Ｒ1またはＲ2の少なくとも１つがＳである、請求項１または２に記載の使用。
【請求項６】
Ｒ1およびＲ2がＳである、請求項１または２に記載の使用。
【請求項７】
Ｒ1またはＲ2の少なくとも１つがＮである、請求項１または２に記載の使用。
【請求項８】
Ｒ1およびＲ2がＮである、請求項１または２に記載の使用。
【請求項９】
Ｒ1またはＲ2の少なくとも１つがＯである、請求項１または２に記載の使用。
【請求項１０】
Ｒ1およびＲ2がＯである、請求項１または２に記載の使用。
【請求項１１】
医薬がレセプター・メガリンおよび／またはレセプター・キュビリンに結合することが可能である、請求項１〜１０のいずれかに記載の使用。
【請求項１２】
化合物が、３−メチルアミノ−１−（４−メチルピペラジノ）−２−プロパノール、４−ピペラジノアニリン、１−（３−クロロフェニル）ピペラジン二塩酸（ｍ−ＣＰＰ）、ピペラジン−２−オン−ＨＣｌ、２−［４−（２−アミノエチル）ピペラジン−１−イル］エチルアミン、無水ピペラジン、２,４−ジアミノ−６−フェニル−１,３,５−トリアジン、３,５−ジアミノ−１,２,４−トリアゾール、２,５−ピペラジンジオン、ピペラジン、ピペラジン−２−オン−ＨＣｌ、１−（２−ピリミジル）ピペラジンジハイドロクロライドまたはその製薬的に許容し得る付加塩または水和物から選択される、請求項１記載の使用。
【請求項１３】
化合物が、２−［４−（２−アミノエチル）ピペラジン−１−イル］エチルアミン、３−メチルアミノ−１−（４−メチルピペラジノ）−２−プロパノールおよびピペラジンから選択される、請求項１２記載の使用。
【請求項１４】
化合物がピペラジンである、請求項１記載の使用。
【請求項１５】
化合物が、１,７−ジアミノヘプタン、１,２−ジアミノエタン、１,４−ジアミノブタン、１,６−ジアミノヘキサン、および１,５−ジアミノペンタンから選択される、請求項１記載の使用。
【請求項１６】
化合物が１,６−ジアミノヘキサンである、請求項１記載の使用。
【請求項１７】
細胞が腎臓および／または内耳に由来する、請求項１〜１６のいずれかに記載の使用。
【請求項１８】
化合物が溶液中で少なくとも１、例えば少なくとも２の正電荷、例えば少なくとも２０の正電荷を有する、請求項１〜１７のいずれかに記載の使用。
【請求項１９】
化合物が多塩基性電荷分布を有する、請求項１〜１８のいずれかに記載の使用。
【請求項２０】
一般式
（Ａq−Ｘ）p      （ＶＩＩ）
［式中、
Ａは、請求項１〜１９のいずれかに記載の化合物であり、
Ｘはスペーサーであり
ｑは１〜１００の整数であり、
ｐは１〜１００の整数である］
を有する化合物。
【請求項２１】
スペーサーが共有結合である、請求項２０記載の化合物。
【請求項２２】
スペーサーが、炭素原子等の２〜１２原子からなり、例えば炭素原子等の４〜１０原子からなり、好ましくは炭素原子等の６〜８原子からなる、請求項２０記載の化合物。
【請求項２３】
誘発された細胞毒性の予防および／または処置のための、請求項２０記載の化合物の使用。
【請求項２４】
使用が請求項１〜１９のいずれかにおいて定義される、請求項２０記載の化合物の使用。
【請求項２５】
請求項１〜１９のいずれかに記載の化合物および誘発性細胞毒性治療において、同時に、別々にまたは順次に使用するための治療剤を含んでなる複合医薬。
【請求項２６】
細胞がレセプター・メガリンおよび／またはレセプター・キュビリンを提示している、請求項２５記載の複合医薬。
【請求項２７】
請求項２０〜２２のいずれかに記載の化合物およびそのための製薬的に許容し得る担体、賦形剤または希釈剤を含有する医薬組成物。
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
腫瘍細胞を含む腫瘍の処置のための、ＩＬ−２３のアンタゴニストを含む、組成物。
【請求項２】
前記ＩＬ−２３のアンタゴニストが、腫瘍の増殖を阻害または防止する、請求項１に記載の組成物。
【請求項３】
前記腫瘍細胞が、ＩＬ−２３を発現する、請求項１に記載の組成物。
【請求項４】
請求項１に記載の組成物であって、前記ＩＬ−２３のアンタゴニストが、以下：
ａ）ｐ１９（配列番号１、配列番号２、配列番号３、もしくは配列番号４）；または
ｂ）ＩＬ−２３Ｒ（配列番号５、もしくは配列番号６）
のポリペプチドあるいは核酸と特異的に結合する結合組成物を含む、組成物。
【請求項５】
請求項４に記載の組成物であって、前記結合組成物が、以下：
ａ）抗体の抗原結合部位；
ｂ）ＩＬ−２３Ｒ（配列番号５、もしくは配列番号６）の細胞外領域；
ｃ）アンチセンス核酸、または
ｄ）短い干渉ＲＮＡ（ｓｉＲＮＡ）；
を含む、組成物。
【請求項６】
請求項４に記載の組成物であって、前記結合組成物が、以下：
ａ）ポリクローナル抗体；
ｂ）モノクローナル抗体；
ｃ）ヒト化抗体、もしくはそのフラグメント；または
ｄ）Ｆａｂフラグメント、Ｆｖフラグメント、もしくはＦ（ａｂ’）２フラグメント、
を含む、組成物。
【請求項７】
請求項１に記載の組成物であって、前記腫瘍細胞が、以下：
ａ）結腸癌細胞；
ｂ）卵巣癌細胞；
ｃ）乳癌細胞；または
ｄ）黒色腫細胞
である、組成物。
【請求項８】
癌または腫瘍に罹患する被験体を処置するための、ＩＬ−２３のアンタゴニストを含む、組成物。
【請求項９】
請求項８に記載の組成物であって、前記ＩＬ−２３のアンタゴニストが、以下：
ａ）癌または腫瘍の増殖；
ｂ）悪液質；
ｃ）食欲不振；または
ｄ）新脈管形成
を阻害する、組成物。
【請求項１０】
請求項８に記載の組成物であって、前記ＩＬ−２３のアンタゴニストが、以下：
ａ）ｐ１９（配列番号１、配列番号２、配列番号３、もしくは配列番号４）；または
ｂ）ＩＬ−２３Ｒ（配列番号５、もしくは配列番号６）
のポリペプチドあるいは核酸と特異的に結合する結合組成物を含む、組成物。
【請求項１１】
請求項１０に記載の組成物であって、前記結合組成物が、以下：
ａ）抗体の抗原結合部位；
ｂ）ＩＬ−２３Ｒ（配列番号５、もしくは配列番号６）の細胞外領域；
ｃ）アンチセンス核酸、または
ｄ）短い干渉ＲＮＡ（ｓｉＲＮＡ）、
を含む、組成物。
【請求項１２】
請求項１０に記載の組成物であって、前記結合組成物が、以下：
ａ）ポリクローナル抗体；
ｂ）モノクローナル抗体；
ｃ）ヒト化抗体、もしくはそのフラグメント；または
ｄ）Ｆａｂフラグメント、Ｆｖフラグメント、もしくはＦ（ａｂ’）２フラグメント、
を含む、組成物。
【請求項１３】
請求項８に記載の組成物であって、前記癌または腫瘍が、以下：
ａ）胃腸管；
ｂ）気道；
ｃ）生殖系；または
ｄ）内分泌系
の癌または腫瘍である、組成物。
【請求項１４】
請求項８に記載の組成物であって、前記癌または腫瘍が、以下：
ａ）結腸癌；
ｂ）卵巣癌；
ｃ）黒色腫；または
ｄ）乳癌
である、組成物。
【請求項１５】
被験体由来のサンプルにおける癌または腫瘍の診断を助けるための組成物であって、該組成物は、以下：
ａ）ｐ１９（配列番号１、配列番号２、配列番号３もしくは配列番号４）；または、
ｂ）ＩＬ−２３Ｒ（配列番号５もしくは配列番号６）
のポリペプチドまたは核酸に特異的に結合する、組成物。
【請求項１６】
請求項１５に記載の組成物であって、前記組成物が、配列番号１、配列番号２もしくは配列番号５のポリヌクレオチドに特異的に結合またはハイブリダイズする核酸プローブまたは核酸プライマーを含む、組成物。
【請求項１７】
癌または腫瘍の診断のためのキットであって、該キットは、請求項１０に記載の方法の結合組成物、および以下：
ａ）区画；または
ｂ）  ｉ）ｐ１９（配列番号１、配列番号２、配列番号３もしくは配列番号４）；または、
ｉｉ）ＩＬ−２３Ｒ（配列番号５もしくは配列番号６）
のポリヌクレオチドまたは核酸に特異的に結合する、結合組成物、
を含む、キット。
【請求項１８】
請求項１７に記載のキットであって、前記結合組成物が、以下：
ａ）ｐ１９（配列番号１、配列番号２、配列番号３、もしくは配列番号４）；または
ｂ）ＩＬ−２３Ｒ（配列番号５、もしくは配列番号６）
に特異的に結合する抗体を含む、キット。
【請求項１９】
癌または腫瘍に罹患している被験体の処置のための医薬の製造のための、ＩＬ−２３のアンタゴニストの使用。
【請求項２０】
前記ＩＬ−２３のアンタゴニストは、以下：
ａ）癌または腫瘍の増殖；
ｂ）悪液質；
ｃ）食欲不振；または
ｄ）新脈管形成
を阻害する、請求項１９に記載の使用。
【請求項２１】
前記ＩＬ−２３のアンタゴニストは、以下：
ａ）ｐ１９（配列番号１、配列番号２、配列番号３もしくは配列番号４）；または、
ｂ）ＩＬ−２３Ｒ（配列番号５もしくは配列番号６）
のポリヌクレオチドまたは核酸に特異的に結合する結合組成物を含む、請求項１９に記載の使用。
【請求項２２】
前記結合組成物は、以下：
ａ）抗体の抗原結合部位；
ｂ）ＩＬ−２３Ｒ（配列番号５、もしくは配列番号６）の細胞外領域；
ｃ）アンチセンス核酸、または
ｄ）短い干渉ＲＮＡ（ｓｉＲＮＡ）、
を含む、請求項２１に記載の使用。
【請求項２３】
前記結合組成物は、以下：
ａ）ポリクローナル抗体；
ｂ）モノクローナル抗体；
ｃ）ヒト化抗体、もしくはそのフラグメント；または
ｄ）Ｆａｂフラグメント、Ｆｖフラグメント、もしくはＦ（ａｂ’）２フラグメント、
を含む、請求項２１に記載の使用。
【請求項２４】
前記癌または腫瘍が、以下：
ａ）胃腸管；
ｂ）気道；
ｃ）生殖系；または
ｄ）内分泌系
の癌または腫瘍である、請求項１９に記載の使用。
【請求項２５】
前記癌または腫瘍が、以下：
ａ）結腸癌；
ｂ）卵巣癌；
ｃ）黒色腫；または
ｄ）乳癌
である、請求項１９に記載の使用。
【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
溶液を凍結乾燥するための方法であって、該方法は、以下：
一以上の容器内に溶液を入れる工程；
カバープレートを配置する工程であって、該カバープレートは、表面から突出して該一以上の容器の開口部に並ぶ一以上の突起を備え、該一以上の突起は、該一以上の容器の少なくとも一部分の内側にはめるために適合される、工程；
該一以上の容器および該カバープレートを凍結乾燥装置内に配置する前に、該一以上の容器を該カバープレートで覆う工程、または該一以上の容器および該カバープレートを該凍結乾燥装置内に配置した後に、該一以上の容器を該カバープレートで覆う工程であって、該一以上の突出した突起は、該一以上の容器の少なくとも一部分の内側に係合される、工程；
該溶液を冷却する工程および該溶液に減圧を適用する工程によって、該溶液を、少なくとも部分的に凍結乾燥させる工程であって、ここで、該溶液を少なくとも部分的に凍結乾燥させる工程は、該一以上の突起の各々と該一以上の容器の各々の側壁との間の環状の間隙を通じて蒸気が逃げることを可能にする、工程、ならびに
該少なくとも部分的に凍結乾燥された医薬品を含む該一以上の容器を密閉する工程であって、該一以上の容器を密封する工程が、一以上のシリンジの各開口部内にプランジャーを挿入する工程を包含し、該一以上のシリンジの各開口部内にプランジャーを挿入する工程が、シリンジ対シリンジアセンブリの、一以上のオスのシリンジの各開口部内にプランジャーを挿入する工程を包含する、工程、
を包含する、方法。
【請求項２】
請求項１に記載の方法であって、槽内にラックを吊るす工程をさらに包含し、該ラックは、該槽内において前記一以上の容器を吊るすために適合される、方法。
【請求項３】
請求項２に記載の方法であって、前記ラックを槽内に吊るす工程が、前記一以上の容器が前記凍結乾燥装置の冷却源と接触する状態になることを防止する、方法。
【請求項４】
請求項３に記載の方法であって、前記一以上の容器が前記冷却源と接触する状態になることを防止する工程が、該一以上の容器が冷却棚と接触する状態になることを防止する、方法。
【請求項５】
請求項１〜４のいずれか一項に記載の方法であって、前記溶液を前記一以上の容器内に入れる工程が、該溶液を一以上のシリンジに入れる工程を包含する、方法。
【請求項６】
請求項１〜５のいずれか一項に記載の方法であって、前記一以上の容器を前記カバープレートで覆う工程が、前記凍結乾燥プロセスの間に該一以上の容器から凍結乾燥物が逃げるのを防止する蓋を形成する、方法。
【請求項７】
請求項１〜６のいずれか一項に記載の方法であって、前記一以上の容器を前記カバープレートで覆う工程が、二以上の容器が同時に凍結乾燥される場合、一つの容器からの凍結乾燥物の、別の容器からの凍結乾燥物による汚染を防止する、方法。
【請求項８】
請求項１〜７のいずれか一項に記載の方法であって、約２０ｍｇ／ｍｌ〜約８０ｍｇ／ｍｌの酢酸ロイプロリドを含有する溶液を調製する工程をさらに包含する、方法。
【請求項９】
請求項１〜８のいずれか一項に記載の方法であって、約３８ｍｇ／ｍｌの酢酸ロイプロリドを含有する溶液を調製する工程をさらに包含する、方法。
【請求項１０】
請求項１〜９のいずれか一項に記載の方法であって、前記溶液を前記一以上の容器内に入れる工程が、約０．１ｍｌ〜約１．０ｍｌの酢酸ロイプロリドを含有する溶液を該一以上の容器の各々に入れる工程を包含する、方法。
【請求項１１】
請求項１〜１０のいずれか一項に記載の方法であって、前記溶液を前記一以上の容器内に入れる工程が、約０．３ｍｌの酢酸ロイプロリドを含有する溶液を該一以上の容器の各々に入れる工程を包含する、方法。
【請求項１２】
請求項１〜１１のいずれか一項に記載の方法であって、前記溶液を冷却する工程が、該溶液を対流によって冷却する工程を包含する、方法。
【請求項１３】
請求項１〜１１のいずれか一項に記載の方法であって、前記溶液を冷却する工程が、該溶液を放射によって冷却する工程を包含する、方法。
【請求項１４】
請求項１〜１１のいずれか一項に記載の方法であって、前記溶液を冷却する工程が、該溶液を対流および放射によって冷却する工程を包含する、方法。
【請求項１５】
請求項１〜１４のいずれか一項に記載の方法であって、前記溶液を冷却する工程が、該溶液を約０℃と約−５０℃との間の温度に冷却する工程を包含する、方法。
【請求項１６】
請求項１〜１５のいずれか一項に記載の方法であって、前記溶液を凍結乾燥させる工程が、各容器内に、約５．０ｍｇ〜約２５．０ｍｇの凍結乾燥物を生成する、方法。
【請求項１７】
請求項１〜１６のいずれか一項に記載の方法であって、前記溶液を凍結乾燥させる工程が、各容器内に、約１１．４ｍｇの凍結乾燥物を生成する、方法。
【請求項１８】
請求項１〜１７のいずれか一項に記載の方法であって、前記溶液の凍結乾燥後に前記一以上の容器から前記カバープレートを除去する工程を、さらに包含する、方法。
【請求項１９】
請求項１８に記載の方法であって、保持された凍結乾燥物について、前記カバープレートの表面を検査する工程、および該凍結乾燥物が由来する前記一以上の容器を廃棄する工程をさらに包含する、方法。
【請求項２０】
請求項１に記載の方法であって、一以上のシリンジの各開口部内にプランジャーを挿入する工程が、シリンジ対シリンジアセンブリの、一以上のメスのシリンジの各開口部内にプランジャーを挿入する工程を包含する、方法。
【手続補正書】
【提出日】平成18年12月21日(2006.12.21)
【手続補正１】
【補正対象書類名】特許請求の範囲
【補正対象項目名】全文
【補正方法】変更
【補正の内容】
【特許請求の範囲】
【請求項１】
ガムベースの少なくとも１つの内層と、
タブレット化装置のポンチへの付着を防止する抗付着賦形剤及び圧縮補助剤を含む外層とを含む、１以上の活性医薬、栄養分又は栄養性の成分を含有するタブレットであって、
該タブレットは、サンドイッチ様構造を有し、外層は、他とは接触しない抗付着賦形剤を含有し、各被覆はガムコアの上部及び底部のみであり、それらの外周側面は非被覆のままであるタブレット。
【請求項２】
２、３又はそれ以上のガムベースの内層を含み、それぞれは、他の層に存在するものと同一又は異なる活性成分を含有していてもよい請求項１のタブレット。
【請求項３】
同じ又は異なる活性成分が、抗付着賦形剤／圧縮補助剤を含む１以上の外層に存在する請求項１又は２に記載されたタブレット。
【請求項４】
各層の異なる成分の混合物又は顆粒の直接圧縮によって得られる請求項１〜４のいずれか１つに記載されたタブレット。
【請求項５】
活性成分が、鎮痛、解熱、麻酔、抗アレルギー、抗炎症、抗真菌及び気管支拡張剤薬、抗生物質、心血管系に活性な薬物、充血除去薬、消毒剤、去痰剤、粘液溶解薬、咳止め、食欲抑制、鎮痙薬、プロバイオティクス、プレバイオチクス、酵素及び栄養補助食品から選択される請求項１〜４のいずれか１つに記載されたタブレット。
【請求項６】
活性成分含量が、活性成分を含む層の重量に対して０．５％から９０％の間であり、好ましくは２から６０％である請求項１〜５のいずれか１つに記載されたタブレット。
【請求項７】
ガムベースの層が、ソルビトール、キシリトール、マルチトール、イソマルト、マルトール、マンニトール、マルトデキストリン及びシクロデキストリンからなる群から選択される流動化剤を含有する請求項１〜６のいずれか１つに記載されたタブレット。
【請求項８】
流動化剤は、０．５から７０．０重量％割合で存在する請求項８のタブレット。
【請求項９】
抗付着賦形剤は、イソマルト、マルトール、マルトデキストリン、マルチトール、マンニトール、キシリトール、ラクチトール、ラクトース、スキムミルク、エリトリトール、オリゴフルクトース、レトログレード・スターチ、ポリソルベート、ポリエチレンオキサイド、デキストラン、シクロデキストリン、オリゴサッカロース、フルクトース、硬化スターチ・ヒドロシレートから選択される請求項１〜８のいずれか１つに記載されたタブレット。
【請求項１０】
マルチホッパー装置において、ガムベース組成物を、室温で直接タブレット化に付し、第１のホッパーから抗付着賦形剤が、圧縮ダイにまず供給され、続いて、別のホッパーからガムベースが、次いで第３ホッパーから抗付着賦形剤が供給され、得られ多層を圧縮することを含むタブレットの製造方法。
【請求項１１】
請求項１０の方法によって得られるタブレット。
【手続補正書】
【提出日】平成18年12月6日(2006.12.6)
【手続補正１】
【補正対象書類名】特許請求の範囲
【補正対象項目名】全文
【補正方法】変更
【補正の内容】
【特許請求の範囲】
【請求項１】
−マンガンの鉱物若しくは有機塩、
−シトステロール、若しくはシトステロール及びシトスタノールの混合物、又はそれを含有する植物抽出物、
−式（Ｉ）：
【化１】
2006520752.tif 000001
（式中、
−Ｒ１はオレイン酸（Ｃ１８：１）のアシル残基であり、
−Ｒ２は２〜１８個の炭素原子を有する直鎖状若しくは分岐鎖状の飽和又は不飽和脂肪酸のアシル残基である）のジグリセリドの、反応により入手可能な有機金属錯体の、酸化ストレスに関する疾患の処置のための医薬組成物の調製のための使用。
【請求項２】
医薬組成物が、スーパーオキシドラジカルの存在の結果生じる病理状態を予防又は治療するために使用される、請求項１に記載の使用。
【請求項３】
Ｒ２がオレイン酸残基又はアセチル残基である、請求項１又は２に記載の使用。
【請求項４】
ジグリセリドが、オリーブ油又はオレイン酸豊富な油からの分離によって得られる、請求項１に記載の使用。
【請求項５】
鉱物若しくは有機マンガン塩が、酢酸マンガン、炭酸マンガン、酸化マンガン、硫酸マンガン、アスコルビン酸マンガン、グルコン酸マンガン、グリセロリン酸マンガン、オレイン酸マンガン、リン酸マンガン又はクエン酸マンガンからなる群より選択される、請求項１〜４のいずれか１項に記載の使用。
【請求項６】
医薬組成物が、（ｉ）腫瘍形成、腫瘍促進及び侵襲性並びに紫外線誘発損傷の予防のために;（ｉｉ）虚血後の再灌流損傷に対する心臓組織の防御のために;（ｉｉｉ）抗炎症剤として;（ｉｖ）抗癌剤の細胞毒性及び心臓毒性作用を低下させるため;（ｖ）内皮疾患を処置するために;（ｖｉ）変性疾患を処置するために;（ｖｉｉ）凝固障害を処置するために、又は;（ｖｉｉｉ）生細胞の寿命を改善するために使用される、請求項１〜５のいずれか１項に記載の使用。
【請求項７】
疾病が、癌、神経変性疾患、網膜変性疾患、年齢関連黄斑変性（ＡＲＭＤ）、虚血性脳障害、内皮機能不全若しくは障害、炎症状態、凍傷、心筋梗塞、慢性関節リウマチ、骨関節炎、アルコール誘発肝障害を示す疾病若しくは障害、及び凝固障害からなる群より選択される、請求項１〜６のいずれか１項に記載の使用。
【請求項８】
疾病が、結腸癌若しくは結腸直腸癌、乳癌、胸膜中皮腫、白血病、及びグリア芽腫からなる群より選択される、請求項１〜７のいずれか１項に記載の使用。
【請求項９】
疾病が、パーキンソン病、ハンチントン舞踏病、及び筋萎縮性側索硬化症からなる群より選択される、請求項１〜８のいずれか１項に記載の使用。
【請求項１０】
−酢酸マンガン、炭酸マンガン、酸化マンガン、硫酸マンガン、アスコルビン酸マンガン、グルコン酸マンガン、グリセロリン酸マンガン及びクエン酸マンガンからなる群より選択される少なくとも１個のマンガン誘導体、
−シトステロール、若しくはシトステロール及びシトスタノールの混合物、又はそれを含有する植物抽出物、
−式（Ｉ）：
【化２】
2006520752.tif 000002
（式中、
−Ｒ１はオレイン酸（Ｃ１８：１）のアシル残基であり、
−Ｒ２は２〜１８個の炭素原子を有する直鎖状若しくは分岐鎖状の飽和又は不飽和脂肪酸のアシル残基である）のジグリセリドの、反応により入手可能な有機金属錯体。
【請求項１１】
Ｒ２がオレオイル又はアセチル基である、請求項１０に記載の錯体。
【請求項１２】
ジグリセリドが、オリーブ油又はオレイン酸豊富な油からの分離によって得られる、請求項１０又は１１に記載の錯体。
【請求項１３】
薬学的に許容され得る担体中に、請求項１０〜１２のいずれか１項記載の少なくとも１個の錯体を含む医薬組成物。
【請求項１４】
酸化ストレスに関する疾病の処置のための、請求項１３に記載の医薬組成物。
【請求項１５】
スーパーオキシドラジカルの存在の結果生じる病理状態を予防又は治療するための、請求項１３に記載の医薬組成物。
【請求項１６】
（ｉ）腫瘍形成、腫瘍促進及び侵襲性並びに紫外線誘発損傷の防止のための;（ｉｉ）虚血後の再灌流損傷に対する心臓組織の防御のための;（ｉｉｉ）抗炎症剤としての;（ｉｖ）抗癌剤の細胞毒性及び心臓毒性作用を低下させるために;（ｖ）内皮疾患を処置するための;（ｖｉ）変性疾患を処置するための;（ｖｉｉ）凝固障害を処置するための、又は（ｖｉｉｉ）生細胞の寿命を改善するための、請求項１３に記載の医薬組成物。
【請求項１７】
癌、神経変性疾患、網膜変性疾患、年齢関連黄斑変性（ＡＲＭＤ）、虚血性脳障害、内皮機能不全若しくは障害、炎症状態、凍傷、心筋梗塞、慢性関節リウマチ、骨関節炎、アルコール誘発の肝障害を示す疾病若しくは障害、及び凝固障害を処置するための、請求項１３に記載の医薬組成物。
【請求項１８】
結腸癌若しくは結腸直腸癌、乳癌、胸膜中皮腫、白血病、及びグリア芽腫を処置するための、請求項１３に記載の医薬組成物。
【請求項１９】
パーキンソン病、ハンチントン舞踏病、及び筋萎縮性側索硬化症を処置するための、請求項１３に記載の医薬組成物。
【請求項２０】
請求項１０〜１２いずれか１項記載の少なくとも１個の錯体を含有する食物製品。